(57)【要約】【課題】地震時などにおけるサッシの躯体に対する変位を吸収可能で、且つ、安価なサッシ固定用アンカーを提供する。【解決手段】竪枠５の取付溝５Ａにスライド自在に係合した竪枠側固定具２と、躯体６に頭部３１を固定したボルト３とを備え、竪枠側固定具２は、室内外方向略中央部に頂部が躯体６に対向して横断面略Ｖ字状をなすＶ状部２１を設け、Ｖ状部２１の頂部にボルト捩じ込み用の貫通孔２１１を設けて、ボルト３の軸部３２を捩じ込んであるとともに、Ｖ状部２１の室内側端部から室内側に連続する室内側延長部２２と、Ｖ状部２１の室外側端部から室外側に連続する室外側延長部２３とを有し、室内側延長部２２及び室外側延長部２３はそれぞれ室内側突条５２２及び室外側突条５３２に当接する突条当接部２２ａ、２３ａと底壁５１に当接する底壁当接部２２ｂ、２３ｂとを有している。【選択図】        図１
2004278193.tif 000002
【特許請求の範囲】
【請求項１】
竪枠の外周側面に長手方向に沿って設けた取付溝に長手方向にスライド自在に係合した竪枠側固定具と、躯体に頭部を固定したボルトとを備え、取付溝は、底壁と、底壁に連続する室内側側壁及び室外側側壁と、室内側側壁から室外側に突出する室内側突条と、室外側側壁から室内側に突出する室外側突条とから構成してあり、竪枠側固定具は、室内外方向略中央部に頂部が躯体に対向して横断面略Ｖ字状をなすＶ状部と、Ｖ状部の室内側端部から室内側に連続する室内側延長部と、Ｖ状部の室外側端部から室外側に連続する室外側延長部とを有し、Ｖ状部の頂部に設けたボルト捩じ込み用の貫通孔にボルトの軸部を捩じ込んであるとともに、室内側延長部及び室外側延長部はそれぞれ室内側突条及び室外側突条に当接する突条当接部と底壁に当接する底壁当接部とを有していることを特徴とするサッシ固定用アンカー。
【請求項２】
室内側延長部は室内側端部を厚肉部とし、室外側延長部は室外側端部を厚肉部として、両側の厚肉部に各々突条当接突部と底壁当接突部とを設けたものであり、両側の突条当接突部は各々室内側突条及び室外側突条に当接しているとともに底壁当接突部は各々底壁に当接していることを特徴とする請求項１記載のサッシ固定用アンカー。
【請求項３】
室内側延長部が室外側から室内側にかけて躯体側に傾斜を設けて室内側に突出するとともに、室外側延長部が室内側から室外側にかけて躯体側に傾斜を設けて室外側に突出しており、竪枠側固定具はＶ状部と両延長部とで横断面略Ｗ字状をなし、室内側延長部の端部を室内側突条に当接し、室外側延長部の端部を室外側突条に当接するとともに、二つの底部を底壁に当接していることを特徴とする請求項１記載のサッシ固定用アンカー。
【発明の詳細な説明】
【０００１】
【発明が属する技術分野】
本発明は、例えば超高層マンションに取り付ける引き違いサッシなどのように地震発生時などに構造上躯体に対して面内方向の大きな層間変位が予測される窓枠を層間変位の吸収可能に躯体に固定するのに好適なサッシ固定用アンカーに関するものである。
【０００２】
【従来の技術】
従来から、こうした超高層マンションなどに取り付ける窓枠を固定するためのサッシ固定用アンカーとしては、風圧に対する面外方向の強度に加えて上記した層間変位を吸収可能にする為の面内方向の変形に対する強度が要求され、例えば特許文献１の如く、アンカーが竪枠に対して上下方向に相対的に移動可能に設けたものや、特許文献２の如くアンカーを躯体に対して水平方向に移動可能に設けたものなどが開示されている。
【０００３】
【特許文献１】
特開平８−２９６３７０号公報
【特許文献２】
特開平９−１３８０４号公報
【０００４】
【発明が解決しようとする課題】
ところが、上記した例えば特許文献１のサッシ固定用アンカーでは躯体に対する竪枠の長手方向（垂直方向）の変位は吸収できるが水平方向の変位を吸収できないという問題があり、逆に例えば特許文献２のサッシ固定用アンカーでは水平方向の変位は吸収できるが躯体に対する竪枠の長手方向（垂直方向）の変位を吸収できないという問題があり、加えて、こうしたアンカーの製造コストも高くついてしまうという問題があり、これらの問題を解決することが従来の課題となっていた。
【０００５】
【発明の目的】
本発明は、上記した従来の課題に着目してなされたもので、竪枠の躯体に対する垂直方向の層間変位を吸収できるとともに近接或いは離間する方向の変位をもある程度吸収可能であり、且つ、製造コストも安価にできるサッシ固定用アンカーを提供することを目的としている。
【０００６】
【課題を解決するための手段】
本発明の請求項１に係わるサッシ固定用アンカーは、竪枠の外周側面に長手方向に沿って設けた取付溝に長手方向にスライド自在に係合した竪枠側固定具と、躯体に頭部を固定したボルトとを備え、取付溝は、底壁と、底壁に連続する室内側側壁及び室外側側壁と、室内側側壁から室外側に突出する室内側突条と、室外側側壁から室内側に突出する室外側突条とから構成してあり、竪枠側固定具は、室内外方向略中央部に頂部が躯体に対向して横断面略Ｖ字状をなすＶ状部と、Ｖ状部の室内側端部から室内側に連続する室内側延長部と、Ｖ状部の室外側端部から室外側に連続する室外側延長部とを有し、Ｖ状部の頂部に設けたボルト捩じ込み用の貫通孔にボルトの軸部を捩じ込んであるとともに、室内側延長部及び室外側延長部はそれぞれ室内側突条及び室外側突条に当接する突条当接部と底壁に当接する底壁当接部とを有している構成を前述した従来の課題を解決するための手段としている。
【０００７】
本発明の請求項２に係わるサッシ固定用アンカーは、請求項１の構成に加えて室内側延長部は室内側端部を厚肉部とし、室外側延長部は室外側端部を厚肉部として、両側の厚肉部に各々突条当接突部と底壁当接突部とを設けたものであり、両側の突条当接突部は各々室内側突条及び室外側突条に当接しているとともに底壁当接突部は各々底壁に当接している構成としている。
【０００８】
本発明の請求項３に係わるサッシ固定用アンカーは、請求項１の構成に加えて室内側延長部が室外側から室内側にかけて躯体側に傾斜を設けて室内側に突出するとともに、室外側延長部が室内側から室外側にかけて躯体側に傾斜を設けて室外側に突出しており、竪枠側固定具はＶ状部と両延長部とで横断面略Ｗ字状をなし、室内側延長部の端部を室内側突条に当接し、室外側延長部の端部を室外側突条に当接するとともに、二つの底部を底壁に当接している構成を前述した従来の課題を解決するための手段としている。
【０００９】
【発明の作用】
本発明の請求項１に係わるサッシ固定用アンカーは竪枠側固定具とボルトとを備え、ボルトは躯体に頭部を固定するとともに軸部を竪枠側固定具のＶ状部に設けた貫通孔に捩じ込んであるから、サッシ枠を躯体に取り付け固定するときに、ボルトの捩じ込み度合いを調節することによって容易に竪枠と躯体間の距離のばらつきを吸収して位置決め施工ができるという効果を有し、また、竪枠側固定具は室内側延長部及び室外側延長部がそれぞれ室内側突条及び室外側突条に当接する突条当接部と底壁に当接する底壁当接部とを有している、即ち竪枠の取付溝に係合しているので、竪枠側固定具とボルトとを介して竪枠を躯体に固定するとともに、躯体が地震などによって垂直方向の変位を受けたとき、即ち竪枠が長手方向の層間変位を受けたときには竪枠側固定具が竪枠の長手方向にスライド自在に係合しているからその変位を吸収できるという効果が得られるものである。
【００１０】
本発明の請求項２に係わるサッシ固定用アンカーにおいて上記した構成としたので、請求項１の効果に加えて、突条当接部および底壁当接部は各々突条当接突部および底壁当接突部とすることによって室内側突条、室外側突条および底壁との当接部を線状または点状として当接面積を小さくするものであり、従って竪枠の長手方向に対する摺動抵抗を小さくすることができるので竪枠の長手方向に生ずる層間変位をより素早く吸収できるという効果を有し、また、室内側延長部及び室外側延長部の両端部を厚肉部としているので竪枠側固定具の強度を高めることができるという優れた効果が得られる。そして、竪枠側固定具の形状も複雑なものは必要なく、例えば押出形材を切断してＶ状部の頂部にボルト捩じ込み用の貫通孔を設けるだけで使用することも可能であるから製造コストを安価にすることができるという大きな効果も得られるものである。
【００１１】
本発明の請求項３に係わるサッシ固定用アンカーにおいて、上記した構成としたので、請求項１の効果に加えて、竪枠側固定具は横断面略Ｗ字状をなすことによって大きな弾性変形力を有することとなり、従ってＶ状部の躯体側に対向する頂部が竪枠に対して近接あるいは離間する方向の変位を受けたときには竪枠側固定具の有する大きな弾性変形力によってこのような変位にも対応することを可能としているという優れた効果が得られることとなる。そして、竪枠側固定具の形状も複雑なものは必要なく、例えば板材からプレス成形してＶ状部の頂部にボルト捩じ込み用の貫通孔を設けるだけで使用することも可能であるから製造コストを安価にすることができるという大きな効果も得られるものである。
【００１２】
【発明の実施の形態】
以下、本発明を図面に基づいて説明する。
【００１３】
図１〜図３は本発明に係わるサッシ固定用アンカーの第一実施形態を表わしており、図１は、第一実施形態のサッシ固定用アンカー１を用いて竪枠５を躯体６に固定した状態を示す。図２は第一実施形態のサッシ固定用アンカー１の形状を三面図によって明示したものであり、図３は第一実施形態のサッシ固定用アンカー１を用いて施工する際の竪枠側固定具２を竪枠５の外周側に設けた取付溝５Ａに挿入する方法の説明図である。図４は本発明に係わるサッシ固定用アンカーの第二実施形態を表わしている。
【００１４】
本発明の第一実施形態のサッシ固定用アンカー１を使用するための竪枠５は、図１に示すように外周側面に長手方向に沿って取付溝５Ａを設けてあり、取付溝５Ａは、底壁５１と、底壁５１に連続する室内側側壁５２１及び室外側側壁５３１と、室内側側壁５２１から室外側に突出する室内側突条５２２と、室外側側壁５３１から室内側に突出する室外側突条５３２とから構成してある。そして、サッシ固定用アンカー１はこの取付溝５Ａに長手方向にスライド自在に係合する竪枠側固定具２と、躯体６に頭部３１を固定したボルト３とを備えている。
【００１５】
竪枠側固定具２は、室内外方向略中央部に頂部が躯体６に対向して横断面略Ｖ字状をなすＶ状部２１を設け、Ｖ状部２１の頂部に躯体６側から竪枠５側に貫通するボルト捩じ込み用の貫通孔２１１を設けて、貫通孔２１１にボルト３の軸部３２を捩じ込んであるとともに、Ｖ状部２１の室内側端部から室内側に連続する室内側延長部２２と、Ｖ状部２１の室外側端部から室外側に連続する室外側延長部２３とを有している。室内側延長部２２は室内側端部をＶ状部２１からの連続部よりも肉厚とした厚肉部２２１とし、室内側突条５２２に当接する突条当接突部２２２（突条当接部２２ａ）と底壁５１に当接する底壁当接突部２２３（底壁当接部２２ｂ）とを厚肉部２２１に設けてある。室外側延長部２３は室外側端部をＶ状部２１からの連続部よりも肉厚とした厚肉部２３１とし、室外側突条５３２に当接する突条当接突部２３２（突条当接部２３ａ）と底壁５１に当接する底壁当接突部２３３（底壁当接部２３ｂ）とを厚肉部２３１に設けてある。
【００１６】
図３に示す如く、竪枠５の取付溝５Ａはサッシ固定用アンカー１を取り付ける所定位置の上方近傍に室内側突条５２２及び室外側突条５３２の一部を切り欠いた切欠部５２３、５３３を設けてあり、また、サッシ固定用アンカー１の取り付け位置の下端部にサッシ固定用アンカー１の竪枠側固定具２が当接するようにスポンジ製の仮止めブロック７を底壁５１に貼り付けてある。この切欠部５２３、５３３間にサッシ固定用アンカー１の竪枠側固定具２の室内側延長部２２および室外側延長部２３を挿入し、底壁当接突部２２３、２３３を竪枠５の底壁５１に当接させながら取付溝５Ａ内をスライドして下端部が仮止めブロックに当接する所定位置まで移動すれば、室内側延長部２２の突条当接突部２２２は竪枠５の室内側突条５２２に当接するとともに、室外側延長部２３の突条当接突部２３２は竪枠５の室外側突条５３２に当接することとなって竪枠側固定部２を竪枠５の取付溝５Ａにスライド自在に係合した状態になり、この状態で竪枠側固定具２のＶ状部２１に設けた貫通孔２１１にボルト３の軸部３２を適宜捩じ込んでおいて、この竪枠５を有するサッシを躯体６に取り付け施工するときにサッシの位置を仮決めして固定後、ボルト３を適宜回転して貫通孔２１１への捩じ込み量を調節し、ボルト３の頭部３１が躯体６に固定したアングル材６１に当接するようにした後、ボルト３の頭部３１をアングル材６１に溶接して躯体６に固定する。したがってこのときにボルトの捩じ込み度合いを調節することによって位置決め施工が容易にできるという効果を有するものである。
【００１７】
第一実施形態のサッシ固定用アンカー１は上記のような手順でボルト３を躯体６に固定するとともに、竪枠側固定具２を竪枠５の長手方向にスライド自在に係合することによって、躯体６に竪枠５を固定しているものであり、竪枠側固定具２は室内側延長部２２の室内側端部に設けた厚肉部２２１の突条当接突部２２２が室内側突条５２２に当接するとともに底壁当接突部２２３が底壁５１に当接しており、室外側延長部２３の室外側端部に設けた厚肉部２３１の突条当接突部２３２が室外側突条５３２に当接するとともに底壁当接突部２３３が底壁５１に当接しているので、竪枠５の取付溝５Ａの長手方向にスライド自在に係合していることとなり、且つ、突条当接突部２２２、２３２と底壁当接突部２２３、２３３は当接面積をより小さくすることによって摺動抵抗をより小さくする効果を有するので竪枠５が躯体６に対して垂直方向の層間変位を受けたときに竪枠側固定具２が竪枠５の長手方向に容易にスライドして変位を吸収できるという効果が得られるものであり、加えて、竪枠側固定具２には室内外方向略中央部に頂部が躯体６に対向して横断面略Ｖ字状をなすＶ状部２１を設けてあり、Ｖ状部２１と、Ｖ状部２１の室内側端部を基端として室内側に連続する室内側延長部２２と、Ｖ状部２１の室外側端部を基端として室外側に連続する室外側延長部２３とで形成する屈曲形状が弾性体として作用できる形状を為していることから、Ｖ状部２１の躯体６側に対向する頂部が竪枠５に対して近接あるいは離間する方向の変位を受けたときにも竪枠側固定具２の有する弾性変形力によってこれをある程度吸収することを可能とする効果が得られるものである。そして、このような竪枠側固定具２の形状は例えばアルミニウムの押し出し成形によってアルミ形材として容易に得られるものであるから、そのコストも安価にすることができるものである。
【００１８】
第二実施形態のサッシ固定用アンカー１の構成は、図４に示す如く、上記した第一実施形態のサッシ固定用アンカー１の構成に対して竪枠側固定具２の構成を除いて全く同一であるので、以下には第二実施形態の竪枠側固定具２の構成のみについて詳述する。
【００１９】
第二実施形態の竪枠側固定具２は、室内外方向略中央部に頂部が躯体６に対向して横断面略Ｖ字状をなすＶ状部２１を設け、Ｖ状部２１の頂部に躯体６側から竪枠５側に貫通するボルト捩じ込み用の貫通孔２１１を設けて、貫通孔２１１にボルト３の軸部３２を捩じ込んであるとともに、Ｖ状部２１の室内側端部から室内側に連続する室内側延長部２２と、Ｖ状部２１の室外側端部から室外側に連続する室外側延長部２３とを有し、室内側延長部２２は、室外側から室内側にかけて躯体６側に傾斜を設けて室内側に突出しており、室外側延長部２３は室内側から室外側にかけて躯体６側に傾斜を設けて室外側に突出しており、竪枠側固定具２はＶ状部２１と両延長部２２、２３とで横断面略Ｗ字状をなし、室内側延長部２２の端部を室内側突条５２２に当接する突条当接部２２ａとし、室外側延長部２３の端部を室外側突条５３２に当接する突条当接部２３ａとするとともに、二つの底部を底壁５１に当接する底壁当接部２２ｂ、２３ｂとして竪枠５の取付溝５Ａに長手方向にスライド自在に係合しているものである。
【００２０】
第二実施形態のサッシ固定用アンカー１の竪枠側固定具２はこのような構成にしてあるから、図４に示す如く突条当接部２２ａ、２３ａおよび底壁当接部２２ｂ、２３ｂは室内側延長部２２および室外側延長部２３のエッジ部となるから当接面積も小さくなるので上記した第一実施形態のサッシ固定用アンカー１の場合と同様に摺動抵抗を小さくする効果を有しており、従って竪枠５が躯体６に対して垂直方向の層間変位を受けたときに竪枠側固定具２が竪枠５の長手方向に容易にスライドして変位を吸収できるという効果が得られるものである。加えて第二実施形態のサッシ固定用アンカー１の竪枠側固定具２はＶ状部２１と室内側延長部２２と室外側延長部２３とで断面略Ｗ字状の屈曲形状を有しているので上述の第一実施形態のサッシ固定用アンカー１の場合よりも更に大きな弾性変形力を有することとなり、従って、Ｖ状部２１の躯体６側に対向する頂部が竪枠５に対して近接あるいは離間する方向の変位を受けたときにも、竪枠側固定具２の有する弾性変形力によってこれを吸収することができるという大きな効果が得られるものである。また、この第二実施形態の竪枠側固定具２の形状は上記した通り断面略Ｗ字状の単純な形状であるから簡単なプレス金型を作ってプレス成形で量産することによって製造コストを安価にすることができるという大きな効果も得られるものである。
【００２１】
本発明の請求項１乃至３のサッシ固定用アンカー１の詳細な構成は上記した実施の形態に限定されるものではない。例えば、第一実施形態及び第二実施形態ではボルト３を溶接によって躯体６に固定する方法を取っているが、ボルト３を躯体６に固定する方法は溶接に限るものではない。竪枠側固定具２を竪枠５に対して長手方向の移動を規制するように設けるとともに、ボルト３の頭部３１を躯体６に対して上下方向にスライド可能に係合してあっても略同様の効果を奏する。竪枠側固定具２は押出し成形加工によって製造してもよく、或いは板材のプレス成形加工によって製造してもよいので、より安価に製造できる材料及び方法を選択することが可能である。
【００２２】
【発明の効果】
以上説明してきたように、本発明の請求項１に係わるサッシ固定用アンカーでは、上記した構成としたから、サッシ枠を躯体に取り付け固定するときにボルトの捩じ込み度合いを調節することによって容易に竪枠と躯体間の距離のばらつきを吸収して位置決め施工ができるという効果を有するとともに、地震などの際に竪枠の長手方向に生ずる竪枠と躯体との層間変位を吸収することができるという大きな効果も得られるものである。
【００２３】
本発明の請求項２に係わるサッシ固定用アンカーにおいて上記した構成としたので、請求項１の効果に加えて、竪枠側固定具の強度をより高めることができるとともに竪枠の長手方向に対する摺動抵抗をより小さくすることができるので竪枠の長手方向に生ずる層間変位をより素早く吸収できるという非常に優れた効果がもたらされ、更に、構造も簡単だから安価に製造できるという優れた効果ももたらされる。
【００２４】
本発明の請求項３に係わるサッシ固定用アンカーにおいて、上記した構成としたので請求項１と同様の効果に加え、竪枠側固定具の有する大きな弾性変形力によって、Ｖ状部の躯体側に対向する頂部が竪枠に対して近接あるいは離間する方向のより大きな変位を受けたときにもこれを吸収することが可能となるという絶大な効果がもたらされ、そして、構造も簡単だから安価に製造できるという優れた効果ももたらされるものである。
【図面の簡単な説明】
【図１】第一実施形態のサッシ固定用アンカー１を用いて竪枠５を躯体６に固定した状態を表わす説明図である。
【図２】第一実施形態のサッシ固定用アンカー１の正面図、側面図及び平面図である。
【図３】第一実施形態のサッシ固定用アンカー１の竪枠側固定具２を竪枠５の取付溝５Ａへ挿入する方法の説明図である。
【図４】第二実施形態のサッシ固定用アンカー１を用いて竪枠５を躯体６に固定した状態を表わす説明図である。
【符号の説明】
１      サッシ固定用アンカー
２      竪枠側固定具
２１    Ｖ状部
２１１  貫通孔
２２    室内側延長部
２３    室外側延長部
２２１、２３１  厚肉部
２２２、２３２  突条当接突部
２２ａ、２３ａ  突条当接部
２２３、２３３  底壁当接突部
２２ｂ、２３ｂ  底壁当接部
３      ボルト
３１    頭部
３２    軸部
５      竪枠
５Ａ    取付溝
５１    底壁
５２１  室内側側壁
５３１  室外側側壁
５２２  室内側突条
５３２  室外側突条
【図１】
2004278193.tif 000003
【図２】
2004278193.tif 000004
【図３】
2004278193.tif 000005
【図４】
2004278193.tif 000006